(57)【要約】【課題】１つのバネで多種、多様な機能を発揮できる化粧料用コイルバネ及びこれを備えた化粧料容器を提供する。【解決手段】化粧料用コイルバネ５を、巻線径が相違し互いのバネ定数が相違する第１のバネ部５ａと第２のバネ部５ｂを段差部５ｄを介して連ねて一体に形成した１つのバネとし、第１のバネ部５ａと第２のバネ部５ｂを利用して、例えば、軸線方向の両方向の衝撃の吸収や、化粧料容器を構成する構成部品の順序立てた動きを実現し、１つのバネで多種、多様な機能を発揮できるようにする。また、例えば、段差部５ｄを利用して、化粧料容器を構成する構成部品に係止することも可能とする。【選択図】図４
2015019775.tif 000002
【特許請求の範囲】
【請求項１】
化粧料容器に使用されるコイルバネであって、
軸線方向に沿って延びバネ定数が相違する第1のバネ部及び第２のバネ部を一体に備え、
前記第1のバネ部と前記第２のバネ部とは巻線径が相違し段差部を介して連なっていることを特徴とする化粧料用コイルバネ。
【請求項２】
前記第1のバネ部及び前記第２のバネ部は、前記化粧料容器を構成する構成部品を囲繞するように配置されるものであり、
巻線径が大径のバネ部において段差部寄りの部分に巻線径が小径とされる凹部を備え、
巻線径が小径のバネ部の段差部側の端部と巻線径が大径のバネ部の前記凹部との間が、前記構成部品の外周面に設けられた凸部に軸線方向に係止するための係止部とされることを特徴とする請求項１記載の化粧料用コイルバネ。
【請求項３】
巻線径が大径のバネ部の巻線ピッチが、巻線径が小径のバネ部の巻線ピッチより大とされることにより、巻線径が大径のバネ部のバネ定数が、巻線径が小径のバネ部のバネ定数より大とされることを特徴とする請求項１又は２記載の化粧料用コイルバネ。
【請求項４】
容器前部及び当該容器前部に軸線周りに回転可能且つ軸線方向に移動不能に装着された容器後部を備えた筒状の容器と、前記容器前部に対し軸線周りに回転不能且つ軸線方向に移動可能とされ、先端に棒状化粧料を支持し外周部に雄螺子を備えた移動体と、前記容器後部に対し軸線周りに回転不能とされ、内周部に前記雄螺子に螺合する雌螺子を備えた雌螺子部材と、請求項１〜３の何れか一項に記載の化粧料用コイルバネを具備し、前記容器前部と前記容器後部の相対回転によって、前記雄螺子及び前記雌螺子より構成された螺合部が働いて前記移動体が進退し前記棒状化粧料が容器先端の開口から出没する化粧料容器であって、
前記雌螺子部材は、軸線方向に移動可能とされ、
前記化粧料用コイルバネの前記第１のバネ部又は前記第２のバネ部の何れか一方が、前記雌螺子部材の軸線方向の一方向への移動を抑制し、
前記第１のバネ部又は前記第２のバネ部の他方が、前記雌螺子部材の軸線方向の他方向への移動を抑制することを特徴とする化粧料容器。
【請求項５】
先端に開口を有する筒体と、
前記筒体内で軸線方向に進退可能な軸体と、
前記筒体の先端に設けられた弾性筒と、
前記筒体及び前記弾性筒内に収容され、前記弾性筒内に位置する先端部及びこの先端部より後側の外面に設けられた係止部を有し、軸線方向に進退可能な筒状のスリーブと、
前記軸体の先端に設けられ、前記スリーブ内及び前記弾性筒内を通り前記弾性筒の先端に接触し外方に突出する毛筆と、
請求項１〜３の何れか一項に記載の化粧料用コイルバネと、を具備し、
バネ定数が大のバネ部が、前記軸体と前記スリーブの前記係止部との間で圧縮され、
バネ定数が小のバネ部が、前記スリーブの前記係止部と前記弾性筒との間で圧縮され、
前記スリーブの前記先端部は、前進すると、前記弾性筒の前記先端に摺接しながら外方に突出することを特徴とする化粧料容器。
【発明の詳細な説明】
【技術分野】
【０００１】
本発明は、化粧料用コイルバネ及びこれを備えた化粧料容器に関する。
【背景技術】
【０００２】
従来、棒状化粧料繰出容器として、以下の特許文献１に記載のものが知られている。この特許文献１に記載の棒状化粧料繰出容器は、容器前部と、この容器前部に回転可能且つ軸線方向に移動不能に装着された容器後部と、容器前部に対し軸線周りに回転不能且つ軸線方向に移動可能とされ、先端に棒状化粧料を支持し外周部に雄螺子を備えた移動体と、容器後部に対し軸線周りに回転不能とされ、内周部に雄螺子に螺合する雌螺子を備えた雌螺子部材と、を具備し、容器前部と容器後部が相対回転されると、雄螺子及び雌螺子より構成された螺合部が働いて移動体が進退し棒状化粧料が容器先端の開口から出没するものである。
【０００３】
特に、この棒状化粧料繰出容器にあっては、雌螺子部材が、前側から後側に向かって、雌螺子、軸線方向に伸縮可能なバネ部（第２のバネ部）をこの順に備えると共に、バネ部後端の軸線方向の移動がほぼ阻止された状態とされているため、例えば落下等により雌螺子部材に対して軸線方向前後の何れの方向に衝撃が作用しても、バネ部が軸線方向に縮退又は伸張し（伸縮し）これに伴い雌螺子も軸線方向前後に移動しこれに従い雌螺子に螺合する雄螺子を有する移動体も前後に移動し、その結果、棒状化粧料への衝撃を吸収でき、棒状化粧料を保護できるとされている。
【先行技術文献】
【特許文献】
【０００４】
【特許文献１】特開２０１２−９６００９号公報
【発明の概要】
【発明が解決しようとする課題】
【０００５】
ここで、前述したように、上記棒状化粧料繰出容器にあっては、雌螺子部材に対して軸線方向（後方又は前方）に衝撃が作用すると、バネ部が縮退又は伸張しこの衝撃を吸収するわけであるが、縮退又は伸張後に元の形状に復元すべく、勢い良く軸線方向反対方向へ伸張又は縮退する。従って、棒状化粧料には、復元力による衝撃が再び作用することになり、１つのバネ部では軸線方向の一方向の衝撃しか吸収することができない。このように、１つのバネ部では一方向の衝撃しか吸収できず、すなわち、１つの機能しか果たせないため、最近においては、１つのバネで多種、多様な機能を発揮することが求められている。
【０００６】
そこで、本発明は、１つのバネで多種、多様な機能を発揮できる化粧料用コイルバネ及びこれを備えた化粧料容器を提供することを目的とする。
【課題を解決するための手段】
【０００７】
本発明による化粧料用コイルバネは、化粧料容器に使用されるコイルバネであって、軸線方向に沿って延びバネ定数が相違する第1のバネ部及び第２のバネ部を一体に備え、第1のバネ部と第２のバネ部とは巻線径が相違し段差部を介して連なっていることを特徴としている。
【０００８】
このような化粧料用コイルバネによれば、化粧料用コイルバネは、巻線径が相違し互いのバネ定数が相違する第１のバネ部と第２のバネ部を段差部を介して連ねて一体に形成した１つのバネであり、従って、第１のバネ部と第２のバネ部を利用して、例えば、軸線方向の両方向の衝撃の吸収や、化粧料容器を構成する構成部品の順序立てた動きを実現でき、１つのバネで多種、多様な機能を発揮できる。また、例えば、段差部を利用して、化粧料容器を構成する構成部品に容易に係止することも可能である。
【０００９】
ここで、上記作用を好適に奏する構成としては、具体的には、第1のバネ部及び第２のバネ部は、化粧料容器を構成する構成部品を囲繞するように配置されるものであり、巻線径が大径のバネ部において段差部寄りの部分に巻線径が小径とされる凹部を備え、巻線径が小径のバネ部の段差部側の端部と巻線径が大径のバネ部の凹部との間が、構成部品の外周面に設けられた凸部に軸線方向に係止するための係止部とされる構成が挙げられる。このような係止部により、化粧料用コイルバネを、化粧料容器を構成する構成部品に容易に係止することができる。
【００１０】
また、上記作用を好適に奏する構成としては、具体的には、巻線径が大径のバネ部の巻線ピッチが、巻線径が小径のバネ部の巻線ピッチより大とされることにより、巻線径が大径のバネ部のバネ定数が、巻線径が小径のバネ部のバネ定数より大とされる構成が挙げられる。ここで、巻線径が大径のバネ部のバネ定数は、巻線径が小径のバネ部のバネ定数より小さくなるが、上記ピッチを相違させる構成の採用により、巻線径が大径のバネ部のバネ定数を、巻線径が小径のバネ部のバネ定数より大とすることができる。
【００１１】
また、本発明による化粧料容器は、容器前部及び当該容器前部に軸線周りに回転可能且つ軸線方向に移動不能に装着された容器後部を備えた筒状の容器と、容器前部に対し軸線周りに回転不能且つ軸線方向に移動可能とされ、先端に棒状化粧料を支持し外周部に雄螺子を備えた移動体と、容器後部に対し軸線周りに回転不能とされ、内周部に雄螺子に螺合する雌螺子を備えた雌螺子部材と、上記記載の化粧料用コイルバネを具備し、容器前部と容器後部の相対回転によって、雄螺子及び雌螺子より構成された螺合部が働いて移動体が進退し棒状化粧料が容器先端の開口から出没する化粧料容器であって、雌螺子部材は、軸線方向に移動可能とされ、化粧料用コイルバネの第１のバネ部又は第２のバネ部の何れか一方が、雌螺子部材の軸線方向の一方向への移動を抑制し、第１のバネ部又は第２のバネ部の他方が、雌螺子部材の軸線方向の他方向への移動を抑制することを特徴としている。
【００１２】
このような化粧料容器によれば、棒状化粧料は移動体の先端に支持され、この移動体の雄螺子に螺合する雌螺子を備えた雌螺子部材に対して、軸線方向の一方向への衝撃が作用し当該雌螺子部材が軸線方向の一方向へ移動する際には、雌螺子部材の一方向への移動が第１のバネ部又は第２のバネ部の何れか一方により抑制されて衝撃が吸収され、その後、第１のバネ部又は第２のバネ部の何れか一方が元の形状に復元する際には、雌螺子部材の他方向（逆方向）への移動が、第１のバネ部又は第２のバネ部の他方により抑制されて復元力による衝撃が吸収される。このように、１つのバネで雌螺子部材の軸線方向の両方向の衝撃を吸収でき、移動体の先端に支持された棒状化粧料を十分に保護することができる。すなわち、１つのバネで多種、多様な機能を発揮できる。
【００１３】
また、本発明による化粧料容器は、先端に開口を有する筒体と、筒体内で軸線方向に進退可能な軸体と、筒体の先端に設けられた弾性筒と、筒体及び弾性筒内に収容され、弾性筒内に位置する先端部及びこの先端部より後側の外面に設けられた係止部を有し、軸線方向に進退可能な筒状のスリーブと、軸体の先端に設けられ、スリーブ内及び弾性筒内を通り弾性筒の先端に接触し外方に突出する毛筆と、上記記載の化粧料用コイルバネと、を具備し、バネ定数が大のバネ部が、軸体とスリーブの係止部との間で圧縮され、バネ定数が小のバネ部が、スリーブの係止部と弾性筒との間で圧縮され、スリーブの先端部は、前進すると、弾性筒の先端に摺接しながら外方に突出することを特徴としている。
【００１４】
このような化粧料容器によれば、一の塗布の態様においては、毛筆の先端側をこれに接触する弾性筒の先端で束ねた状態で、毛筆先端を使用した細い塗布が可能とされる。また、他の塗布の態様においては、軸体が前進することにより、軸体と共に毛筆が前進すると共に、軸体の前進力（押圧力）が、軸体とスリーブの係止部との間のバネ定数が大のバネ部を介してスリーブに伝達され、スリーブは、スリーブの係止部と弾性筒との間のバネ定数が小のバネ部を圧縮させながら前進し、スリーブの先端部は、弾性筒の先端を通り当該先端に摺接しながら外方に突出し弾性筒の先端と毛筆との間に位置する。すなわち、毛筆はスリーブと共に前進し、このとき、毛筆を束ねる弾性筒の先端と毛筆との間にはスリーブの先端部が介在するため、前進する毛筆がスリーブにより保護され、毛筆が弾性筒の先端により捲らればらけてしまうことを防止できる。そして、バネ定数が小のバネ部の圧縮がほぼ終わると、バネ定数が大のバネ部が圧縮し毛筆のみが前進する。このように他の塗布の態様においては、一の塗布の態様より毛筆が外方へ突出するため、毛筆先端以外の部分を主に使用した太い塗布が可能とされる。斯くの如く、１つのバネで化粧料容器を構成する構成部品であるスリーブ、毛筆等の順序立てた動きを実現できる。すなわち、１つのバネで多種、多様な機能を発揮できる。
【発明の効果】
【００１５】
このように本発明によれば、１つのバネで多種、多様な機能を発揮できる化粧料用コイルバネ及びこれを備えた化粧料容器を提供できる。
【図面の簡単な説明】
【００１６】
【図１】本発明の第１実施形態に係る化粧料容器としての棒状化粧料繰出容器を示す縦断面図である。
【図２】図１に示す棒状化粧料繰出容器の雌螺子部材に軸線方向後方への衝撃が作用した状態を示す縦断面図である。
【図３】図１に示す棒状化粧料繰出容器の雌螺子部材に軸線方向前方への衝撃が作用した状態を示す縦断面図である。
【図４】図１中の棒状化粧料支持体、コイルバネ及び雌螺子部材を示す側面図である。
【図５】図４中の雌螺子部材の縦断面図である。
【図６】本発明の第２実施形態に係る化粧料容器を示す縦断面図である。
【図７】図６中の化粧料塗布具の先端側を拡大して示す縦断面図である。
【図８】図６中の化粧料塗布具を容器本体から取り出して操作部をノック操作し毛筆が前進した状態を示す縦断面図である。
【図９】図８に示す化粧料塗布具の先端側を拡大して示す縦断面図である。
【発明を実施するための形態】
【００１７】
以下、本発明による化粧料用コイルバネ及びこれを備えた化粧料容器の好適な実施形態について図１〜図９を参照しながら説明する。図１〜図５は、本発明の第１実施形態を、図６〜図９は、本発明の第２実施形態を各々示すものである。
【００１８】
先ず、図１〜図５に示す第１実施形態を説明する。
【００１９】
図１は、第１実施形態に係る化粧料容器としての棒状化粧料繰出容器を示す縦断面図、図２は、棒状化粧料繰出容器の雌螺子部材に軸線方向後方への衝撃が作用した状態を示す縦断面図、図３は、棒状化粧料繰出容器の雌螺子部材に軸線方向前方への衝撃が作用した状態を示す縦断面図、図４は、棒状化粧料支持体、コイルバネ及び雌螺子部材を示す側面図、図５は、雌螺子部材の縦断面図であり、本実施形態の棒状化粧料繰出容器は、例えば、アイライナー、アイブロー、リップライナー、コンシーラー等を始めとした種々の棒状化粧料を収容し、使用者が必要に応じて適宜出没可能とするものである。なお、図面において、図が煩雑になるのを避けるために、棒状化粧料及び容器先端を覆うキャップは省略されている。
【００２０】
図１に示すように、棒状化粧料繰出容器１００は、全体形状が筆記具の如き細長い丸棒状を呈する所謂棒状化粧料カートリッジと呼ばれるものであり、カートリッジ収容容器（不図示）の一方端側に着脱可能（若しくは着脱不能）に装着されて使用されるものである。
【００２１】
棒状化粧料繰出容器１００は、容器前部を構成する先筒１と、容器後部を構成する本体筒２と、を備えた筒状容器であり、これらの先筒１及び本体筒２内に、棒状化粧料と、この棒状化粧料を支持する移動体である棒状化粧料支持体３と、螺合部（螺合機構）を構成する雌螺子部材４とを収容し、さらに、衝撃緩衝部材としての化粧料用コイルバネ（コイルバネ）５を収容する。
【００２２】
本体筒２は、有底円筒状を成し、外周面に設けられた鍔部２ａより後側が、カートリッジ収容容器に内挿される内挿部とされる。この鍔部２ａより後側の外周面には、円環状の凹部及び凸部が軸線方向後方側に向かってこの順に並設された凹凸部２ｂが、本体筒２をカートリッジ収容容器に軸線方向に係合するためのものとして設けられている。本体筒２の後端面には、先端側に凹む断面円形の凹部が設けられ、この凹部の内周面に、周方向に沿って凹凸が密に並設され軸線方向に所定長延びるローレット２ｃが、カートリッジ収容容器に回転方向に係合するためのものとして設けられている。本体筒２の鍔部２ａより前側の内周面には、先筒１を軸線方向に係合するための凹部２ｄが円環状に設けられている。また、本体筒２の底部の内面には、先端側に突出する円筒状の突出部２ｅが突設され、この突出部２ｅの外周面には、周方向に沿って凹凸が密に並設され軸線方向に所定長延びるローレット２ｆが、雌螺子部材４を回転方向に係合するためのものとして設けられている。
【００２３】
雌螺子部材４は、図５に示すように、段付き円筒形状に構成され、その内周面の先端側に、螺合部の一方を構成し雌螺子として機能する螺合突起４ｅを一対備えると共に、その内周面の後部側に、本体筒２のローレット２ｆと回転方向に係合するためのローレット４ｂを備える。
【００２４】
雌螺子部材４の外周面には、軸線方向中程より後側の位置に、円環状の凸部４ｃが、コイルバネ５を係止するためのものとして設けられている（詳しくは後述）。
【００２５】
この雌螺子部材４は、図１に示すように、その後端部から本体筒２の先端側に内挿され、そのローレット４ｂが、本体筒２のローレット２ｆと回転方向に係合することで、本体筒２に対して軸線周りに回転不能（同期回転可能）且つ軸線方向に移動可能に装着される。
【００２６】
先筒１は、軸線方向中程の外周面に段差部１ａを有する段付き円筒状に構成され、この段差部１ａより後側に続く小径の円筒部が、本体筒２に内挿される内挿部とされると共に、段差部１ａより前側に続く大径で先端に向けて先細り形状となる円筒部が、本体筒２の先端から突出し使用者により摘まれる摘み部とされる。この先筒１の段差部１ａより後側の外周面には、本体筒２の円環状の凹部２ｄに軸線方向に係合するための凸部１ｂが円環状に設けられている。
【００２７】
先筒１には、先端の開口１ｇから後端迄貫通し棒状化粧料の摺動を可能とする棒状化粧料孔１ｃが設けられると共に、この棒状化粧料孔１ｃの周囲の複数箇所（ここでは四等配の位置）に、開口１ｇの近傍から後端に亘って、棒状化粧料支持体３の後述する支持片３ｄを収容し摺動を可能とする支持片溝１ｄが連設され、これらの棒状化粧料孔１ｃ及び支持片溝１ｄにより、棒状化粧料及び支持片３ｄが摺動する進退孔１ｅが構成される。
【００２８】
この先筒１は、その内挿部から本体筒２の先端側に内挿され、その段差部１ａが本体筒２の先端面に突き当てられ、その凸部１ｂが本体筒２の凹部２ｄに軸線方向に係合することで、本体筒２に対して軸線周りに回転可能且つ軸線方向に移動不能に装着される。これにより、雌螺子部材４に対しても軸線周りに回転可能とされる。
【００２９】
棒状化粧料支持体３は、棒状化粧料の後端部を支持するための支持部３ａと、この支持部３ａより後側の軸体部３ｂと、を備えている。軸体部３ｂは、軸線方向に延在する軸体であり、当該軸体部３ｂの外周面には、螺合部の他方を構成する雄螺子３ｅが軸線方向に延びるように設けられている。支持部３ａは、その外形が棒状化粧料の外形に略一致し棒状化粧料の後端面を突き当てるための基部３ｃと、この基部３ｃにおける外周面の周方向の複数位置（ここでは四等配の位置）に先端側に向かって突出するように設けられ、基部３ｃに突き当てられた棒状化粧料の後端部を相互間に挟んで支持する支持片３ｄと、を備えている。
【００３０】
この棒状化粧料支持体３は、その先端側から先筒１の後端側に内挿され、その基部３ｃが先筒１の棒状化粧料孔１ｃに進入すると共に、その支持片３ｄが先筒１の支持片溝１ｄに進入するようにして、進退孔１ｅに内挿される。従って、棒状化粧料支持体３の支持片３ｄが進入する支持片溝１ｄは、棒状化粧料支持体３の回り止めとされ、棒状化粧料支持体３は、先筒１に対して軸線周りに回転不能且つ軸線方向に移動可能に装着される。この状態で、棒状化粧料支持体３は、その軸体部３ｂが雌螺子部材４内に進入し、その雄螺子３ｅが雌螺子部材４の螺合突起４ｅに螺合する状態とされている。
【００３１】
また、コイルバネ５は圧縮コイルバネであり、ここでは、ＳＵＳより形成され、図１及び図４に示すように、化粧料容器１００を構成する構成部品である雌螺子部材４を囲繞する（巻き付く）ように設けられている。
【００３２】
このコイルバネ５は、巻線径（コイル径）が大径にされた後半部５ａに段差部５ｄを介して巻線径が小径とされた前半部５ｂが一体に連なる一体成形品である。ここでは、巻線径が大径の後半部が第１のコイルバネ（第１のバネ部）５ａとされ、巻線径が小径の前半部が第２のコイルバネ（第２のバネ部）５ｂとされている。
【００３３】
ここで、フックの法則により、巻線径が大径のバネ部のバネ定数は、巻線径が小径のバネ部のバネ定数より小さくなるが、本実施形態では、巻線径が大径の第１のコイルバネ５ａの巻線ピッチを、巻線径が小径の第２のコイルバネ５ｂの巻線ピッチより大とする（第１のコイルバネ５ａの巻きを粗に、第２のコイルバネ５ｂの巻きを密にする）ことにより、巻線径が大径の第１のコイルバネ５ａのバネ定数を、巻線径が小径の第２のコイルバネ５ｂのバネ定数より大となるように工夫している。すなわち、第１のコイルバネ５ａはその伸縮が硬く、第２のコイルバネ５ｂはその伸縮が第１のコイルバネ５ａに比して柔らかくなっている。
【００３４】
また、巻線径が大径である第１のコイルバネ５ａにおいて段差部５ｄ寄りの部分は、巻線径が小径の円環状の凹部５ｅとされ、巻線径が小径の第２のコイルバネ５ｂの段差部５ｄ側の端部と巻線径が大径の第１のコイルバネ５ａの凹部５ｅとの間が、雌螺子部材４の凸部４ｃに軸線方向に係止するための係止部５ｃとされている。
【００３５】
このような構成のコイルバネ５は雌螺子部材４に対して巻き付くように配置されることから、コイルバネ５の係止部５ｃは、雌螺子部材４の凸部４ｃの前側の面及び後側の面にそれぞれ軸線方向に対面し（当接し）、従って、コイルバネ５の係止部５ｃは、雌螺子部材４の凸部４ｃに対して軸線方向に係止された状態となる。
【００３６】
そして、図１に示すように、コイルバネ５は、棒状化粧料支持体３が初期位置である後退限に位置している状態において、先筒１の後端面と本体筒２の底部との間に挟まれ、第１のコイルバネ５ａ及び第２のコイルバネ５ｂが共に弾発力を蓄積した状態とされる。従って、第１のコイルバネ５ａは、雌螺子部材４の軸線方向後方への移動を抑制し、第２のコイルバネ５ｂは、雌螺子部材４の軸線方向前方への移動を抑制するように機能する。また、このように棒状化粧料支持体３が初期位置である後退限に位置している状態においては、棒状化粧料支持体３の基部３ｃの後端面が、雌螺子部材４の先端面に当接した状態となっている。
【００３７】
このように構成された棒状化粧料繰出容器（棒状化粧料カートリッジ）１００は、その内挿部がカートリッジ収容容器の一方端側の開口に内挿され、その本体筒２の鍔部２ａがカートリッジ収容容器の一方端側の端面に当接し、その本体筒２の凹凸部２ｂがカートリッジ収容容器の内周面の凹凸部（不図示）に軸線方向に係合することで、カートリッジ収容容器に対して軸線方向に着脱可能又は着脱不能とされると共に、その本体筒２のローレット２ｃがカートリッジ収容容器のローレット（不図示）に回転方向に係合することで、カートリッジ収容容器に対して軸線周りに回転不能に装着される。すなわち、棒状化粧料カートリッジ１００とカートリッジ収容容器は一体化される。
【００３８】
次に、このような構成を有する棒状化粧料繰出容器１００の作用を説明する。使用者により、容器前部を構成する先筒１と、容器後部を構成するカートリッジ収容容器とが一方向である繰り出し方向に相対回転されると、棒状化粧料支持体３の雄螺子３ｅ及び雌螺子部材４の螺合突起４ｅより成る螺合部の螺合作用が働き、棒状化粧料支持体３が前進し、棒状化粧料が先筒１の先端の開口１ｇから出現し塗布可能な使用状態とされる。そして、化粧料を塗布する際の圧力で棒状化粧料に作用する軸線方向の衝撃を、バネ定数が大の第１のコイルバネ５ａが吸収する。
【００３９】
また、塗布が終了し、使用者により、先筒１とカートリッジ収容容器とが一方向の反対方向である繰り戻し方向に相対回転されると、棒状化粧料支持体３が後退し、棒状化粧料が先筒１の先端の開口１ｇから没入する。
【００４０】
なお、ここでは、棒状化粧料繰出容器１００が棒状化粧料カートリッジとしてカートリッジ収容容器に装着されている状態で説明したが、棒状化粧料繰出容器１００がカートリッジ収容容器から取り外された状態で、棒状化粧料を先筒１の開口１ｇから出没させる際には、容器前部を構成する先筒１と容器後部を構成する本体筒２とを繰り出し方向又は繰り戻し方向に相対回転させれば良い。
【００４１】
ここで、棒状化粧料繰出容器１００がカートリッジ収容容器に装着された状態、若しくは、カートリッジ収容容器から取り外された状態で、例えば先端側から落下した場合には、図３に示すように、その衝撃でまず雌螺子部材４が軸線方向前方へ移動し、次いで、雌螺子部材４に対して軸線方向後方への衝撃が作用し、図２に示すように、雌螺子部材４が軸線方向後方へ移動する。
【００４２】
そして、雌螺子部材４が軸線方向に移動するにあたって、雌螺子部材４の前方への移動が第２のコイルバネ５ｂにより抑制されて衝撃が吸収（緩衝）され、その後、第２のコイルバネ５ｂが元の形状に復元する（戻る）際には、雌螺子部材４の後方への移動が第１のコイルバネ５ａにより抑制されて復元力による衝撃（振動）が吸収される。
【００４３】
また、棒状化粧料繰出容器１００がカートリッジ収容容器に装着された状態、若しくは、カートリッジ収容容器から取り外された状態で、例えば後端側から落下した場合には、図２に示すように、その衝撃でまず雌螺子部材４が軸線方向後方へ移動し、次いで、雌螺子部材４に対して軸線方向前方への衝撃が作用し、図３に示すように、雌螺子部材４が軸線方向前方へ移動する。
【００４４】
そして、雌螺子部材４が軸線方向に移動するにあたって、雌螺子部材４の後方への移動が第１のコイルバネ５ａにより抑制されて衝撃が吸収（緩衝）され、その後、第１のコイルバネ５ａが元の形状に復元する（戻る）際には、雌螺子部材４の前方への移動が第２のコイルバネ５ｂにより抑制されて復元力による衝撃（振動）が吸収される。
【００４５】
このように、本実施形態においては、コイルバネ５を、巻線径が相違し互いのバネ定数が相違する第１のコイルバネ５ａと第２のコイルバネ５ｂを段差部５ｄを介して連ねて一体に形成した１つのバネとしているため、第１のコイルバネ５ａと第２のコイルバネ５ｂを利用して、軸線方向の両方向の衝撃の吸収を実現でき、１つのバネで多種、多様な機能を発揮できる。
【００４６】
具体的には、移動体である棒状化粧料支持体３の雄螺子３ｅに螺合する雌螺子（螺合突起）４ｅを備えた雌螺子部材４に対して、軸線方向の一方向への衝撃が作用し当該雌螺子部材４が軸線方向の一方向へ移動する際には、雌螺子部材４の一方向への移動を第１のコイルバネ５ａ又は第２のコイルバネ５ｂの何れか一方により抑制して衝撃を吸収し、その後、第１のコイルバネ５ａ又は第２のコイルバネ５ｂの何れか一方が元の形状に復元する際には、雌螺子部材４の他方向（逆方向）への移動を、第１のコイルバネ５ａ又は第２のコイルバネ５ｂの他方により抑制して復元力による衝撃を吸収するため、１つのコイルバネ５で雌螺子部材４の軸線方向の両方向の衝撃を吸収でき、棒状化粧料支持体３の先端に支持された棒状化粧料を十分に保護することができる。すなわち、１つのコイルバネ５で多種、多様な機能を発揮できる。
【００４７】
また、本実施形態においては、段差部５ｄを利用して、化粧料容器を構成する構成部品に容易に係止することができる。具体的には、巻線径が小径の第２のコイルバネ５ｂの段差部５ｄ側の端部と巻線径が大径の第１のコイルバネ５ａの凹部５ｅとの間が、雌螺子部材４の凸部４ｃに軸線方向に係止するための係止部５ｃとされるため、この係止部５ｃにより、コイルバネ５を、雌螺子部材４に容易に係止することができる。
【００４８】
なお、コイルバネ５の両端は、ここでは、本体筒２、先筒１に固定されていないが、固定されていても良い。
【００４９】
また、第１実施形態においては、カートリッジ式の化粧料容器に対する適用を述べているが、カートリッジ式ではない化粧料容器に対しても適用可能である。
【００５０】
図６は、本発明の第２実施形態に係る化粧料容器を示す縦断面図、図７は、図６中の化粧料塗布具の先端側を拡大して示す縦断面図、図８は、図６中の化粧料塗布具を容器本体から取り出して操作部をノック操作し毛筆が前進した状態を示す縦断面図、図９は、図８に示す化粧料塗布具の先端側を拡大して示す縦断面図であり、本実施形態の化粧料容器は、液状化粧料を毛筆により被塗布部に塗布する際に用いられるものである。
【００５１】
図６に示すように、化粧料容器２００は、ボトルタイプ式の化粧料容器であって、液状化粧料Ｌを収容する容器本体１１と、この容器本体１１に着脱自在に装着され容器本体１１の蓋（キャップ）及び液状化粧料Ｌの塗布具として機能する化粧料塗布具５０と、を概略具備している。
【００５２】
容器本体１１は、液状化粧料Ｌを収容するための収容部１３と、この収容部１３の上部に一体に連設され当該収容部１３に繋がる開口頚部１４と、を備える。
【００５３】
収容部１３は、有底円筒状に構成されその内部に液状化粧料Ｌを収容する。開口頚部１４は、収容部１３の上部に連設された小径の円筒部であり、その筒内が収容部１３内に連通する。この開口頚部１４には、その外周面に、化粧料塗布具５０を着脱可能に螺合するための雄螺子１５が形成されている。また、開口頚部１４の内周面には、例えばプラスチックやゴム等より成る円筒状の中栓部１６が固着されている。この中栓部１６は、その内周面に、化粧料塗布具５０の後述する筒体２１が通過する際に当該筒体２１の外周面に付着した余分な液状化粧料Ｌを掻き落とすための掻取部１７を備えている。
【００５４】
化粧料塗布具５０は、容器本体１１の蓋となると共に使用者により把持される把持部１８と、この把持部１８に設けられ使用者によりノック操作される操作部４０と、把持部１８から下方に延びる筒体２１と、上下方向に延びノック操作に従い筒体２１内で軸線方向に進退可能な軸体２２と、筒体２１の先端部に設けられた弾性筒２３と、筒体２１及び弾性筒２３内に収容され軸線方向（上下方向）に進退可能なスリーブ２４と、軸体２２の先端に取り付けられスリーブ２４内及び弾性筒２３内を通り外方に突出する毛筆３１と、筒体２１内に収容されスリーブ２４及び毛筆３１に作用する化粧料用コイルバネ（コイルバネ）２５と、を概略備える。
【００５５】
把持部１８は、有底円筒状に構成されて有底部が上側に位置する配置とされ、その開口端側の内周面に、開口頚部１４の外周面の雄螺子１５に螺合する雌螺子２０を備えている。そして、把持部１８は、その雌螺子２０を雄螺子１５に螺合することで、容器本体１１に対して着脱可能に装着される。
【００５６】
操作部４０は、ピン状に構成され、把持部１８の上壁である有底部を内外に貫き、使用者によるノック操作が可能となるように、上壁から所定長突出する。
【００５７】
筒体２１は、円筒状に構成されて外筒を成し、その上端が把持部１８内に嵌着されると共に、その下端が容器本体１１の収容部１３の底部に向かって延びている。
【００５８】
軸体２２は、上下方向に延びる円柱状に構成され、その上側が進退ロック機構４１を介して操作部４０に連結されると共に、これより下側の部分が筒体２１内に収容される。
【００５９】
進退ロック機構４１は、使用者による操作部４０のノック操作である押圧操作により、中駒に沿って回転子を軸線方向に前進させてから周方向に回転させて係止させ、これにより軸体２２を前進させてロックする一方で、再度のノック操作により、係止状態を解除して中駒沿いに回転子を軸線方向に後退させ、これにより軸体２２を元の位置まで後退させる公知の機構である。
【００６０】
弾性筒２３は、例えばゴム等の弾性体より形成され、円筒状に構成される。図７に示すように、弾性筒２３は、筒体２１の先端部の内周面に固着され、筒体２１の先端から外方に所定長突出する。弾性筒２３の先端２３ａは、内側（軸線方向に）に向かって円環状に張り出し、この張り出しにより形成された円形の開口に対して毛筆３１が通過し、弾性筒２３の先端２３ａに、毛筆３１の太径部（先端部より後側の部分）が接触する（当接する）。
【００６１】
スリーブ２４は、円筒状に構成され、その上端に、半径方向外方に円環状に張り出す鍔部（係止部）２４ｃを有する。スリーブ２４の上半部は筒体２１内に収容され、スリーブ２４の先端部２４ａを含む下半部は弾性筒２３内に収容される。スリーブ２４の先端部２４ａは、弾性筒２３の先端２３ａの裏面（図示上面）近くに位置するように配置されている。
【００６２】
毛筆３１は、その上端面が、軸体２２の先端にコイルバネ２５によって押されて固定された軸体プレート３９のその下端面に固着されて下方に延びている。この毛筆３１は、その上端が筒体２１内に収容されると共に、これより下側がスリーブ２４内を通り、さらに、弾性筒２３の先端２３ａ内を通って外方に突出する。そして、毛筆３１の太径部は、弾性筒２３の先端２３ａに接触し、この接触位置で先端２３ａにより、保持され束ねられた状態とされている。なお、ここで言う毛筆３１は、ブラシも含む。
【００６３】
コイルバネ２５は、第１実施形態のコイルバネ５と、奏する作用・効果は異なるが構成は同様である。
【００６４】
具体的には、コイルバネ２５は、例えばＳＵＳ等より形成された圧縮コイルバネであり、化粧料容器２００を構成する構成部品である毛筆３１及びスリーブ２４を囲繞するように設けられている。
【００６５】
コイルバネ２５は、巻線径が大径にされた上半部２５ａに段差部２５ｄを介して巻線径が小径とされた下半部２５ｂが一体に連なる一体成形品であり、ここでは、巻線径が大径の上半部が第１のコイルバネ（第１のバネ部）２５ａとされ、巻線径が小径の下半部が第２のコイルバネ（第２のバネ部）２５ｂとされている。
【００６６】
ここで、前述したように、巻線径が大径の第１のコイルバネ２５ａの巻線ピッチを、巻線径が小径の第２のコイルバネ２５ｂの巻線ピッチより大とすることにより、巻線径が大径の第１のコイルバネ２５ａのバネ定数が、巻線径が小径の第２のコイルバネ２５ｂのバネ定数より大となっている。
【００６７】
また、巻線径が大径である第１のコイルバネ２５ａにおいて段差部２５ｄ寄りの部分に円環状の凹部２５ｅが形成され、巻線径が小径の第２のコイルバネ２５ｂの段差部２５ｄ側の端部と巻線径が大径の第１のコイルバネ２５ａの凹部２５ｅとの間が、スリーブ２４の鍔部２４ｃに軸線方向に係止するための係止部２５ｃとされている。
【００６８】
このような構成のコイルバネ２５はスリーブ２４に対して巻き付くように配置されることから、コイルバネ２５の係止部２５ｃは、スリーブ２４の鍔部２４ｃの下側の面及び上側の面にそれぞれ軸線方向に対面し（当接し）、従って、コイルバネ２５の係止部２５ｃは、スリーブ２４の鍔部２４ｃに対して軸線方向に係止された状態となる。
【００６９】
このコイルバネ２５は、弾性筒２３の上端面と軸体プレート３９の下端面との間に挟まれ、ノック操作による押圧が解除されている初期状態において、第１のコイルバネ２５ａ及び第２のコイルバネ２５ｂが共に弾発力を蓄積した状態とされる。なお、コイルバネ２５の両端は、ここでは、軸体プレート３９、弾性筒２３に固定されていないが、固定されていても良い。
【００７０】
そして、図６に示すように、化粧料塗布具５０の把持部１８が容器本体１１の開口頚部１４に螺子１５，２０の螺合により装着されると（把持部１８が締められると）、筒体２１及び軸体２２は、中栓部１６の筒孔を通して容器本体１１の収容部１３内に進入し、筒体２１の先端側及び毛筆３１の先端部が液状化粧料Ｌに浸漬する。
【００７１】
このように構成された化粧料容器２００によれば、化粧料塗布具５０を使用する場合には、図６に示す状態から、使用者は、把持部１８を把持し回すことで螺子１５，２０の螺合を解除しながら引き上げて当該化粧料塗布具５０を容器本体１１から取り外す。
【００７２】
この状態（図７に示す状態）で、毛筆３１に付着した液状化粧料Ｌを被塗布部に塗布すると、毛筆３１の先端側である太径部を弾性筒２３の先端２３ａで束ねた状態で、毛筆３１の先端を使用した細い線を描くことができる。この塗布の態様を一の塗布の態様と呼ぶ。
【００７３】
ここで、一の塗布の態様とは別の他の塗布の態様として、太い線を描きたい場合には、操作部４０をノック操作する（図８参照）。すると、進退ロック機構４１が働いて軸体２２が前進し、軸体２２と共に毛筆３１が前進する。これと同時に、軸体２２の前進力（押圧力）が、軸体２２とスリーブ２４の鍔部２４ｃとの間のバネ定数が大である第１のコイルバネ２５ａを介してスリーブ２４に伝達され、スリーブ２４は、スリーブ２４の鍔部２４ｃと弾性筒２３との間のバネ定数が小である第２のコイルバネ２５ｂを圧縮させながら前進する。
【００７４】
スリーブ２４の先端部２４ａは、弾性筒２３の先端２３ａに達し、先端２３ａを延ばし開口を広げながら先端２３ａを通り、先端２３ａに摺接しながら外方に突出し弾性筒２３の先端２３ａと毛筆との間に位置する。すなわち、毛筆３１はスリーブ２４と共に前進し、このとき、毛筆３１を束ねる弾性筒２３の先端２３ａと毛筆３１との間にスリーブ２４の先端部２４ａが介在するため、前進する毛筆３１がスリーブ２４により保護され、毛筆３１が弾性筒２３の先端２３ａにより捲らればらけてしまうことが防止される（図９参照）。
【００７５】
そして、バネ定数が小の第２のコイルバネ２５ｂの圧縮がほぼ終わると、今度はバネ定数が大の第１のコイルバネ２５ａが圧縮して毛筆３１のみが前進し、毛筆３１の太径部が所定長外方に突出する。従って、毛筆３１の先端以外の部分を主に使用した太い線を描くことができる（図９参照）。
【００７６】
このように、本実施形態においては、コイルバネ２５を、巻線径が相違し互いのバネ定数が相違する第１のコイルバネ２５ａと第２のコイルバネ２５ｂを段差部２５ｄを介して連ねて一体に形成した１つのバネとしているため、第１のコイルバネ２５ａと第２のコイルバネ２５ｂを利用して、化粧料容器２００を構成する構成部品である毛筆３１及びスリーブ２４の順序立てた動きを実現でき、１つのバネで多種、多様な機能を発揮できる。
【００７７】
具体的には、一の塗布の態様から他の塗布の態様に移行すべく、軸体２２を前進させると、毛筆３１が前進すると共に、スリーブ２４が、スリーブ２４の鍔部２４ｃと弾性筒２３との間のバネ定数が小の第２のコイルバネ２５ｂを圧縮させながら前進し、バネ定数が小の第２のコイルバネ２５ｂの圧縮がほぼ終わると、バネ定数が大の第１のコイルバネ２５ａが圧縮して毛筆３１のみが前進するため、１つのコイルバネ２５でスリーブ２４及び毛筆３１の順序立てた動きを実現できる。すなわち、１つのコイルバネ２５で多種、多様な機能を発揮できる。
【００７８】
また、他の塗布の態様にすべく、毛筆３１及びスリーブ２４が前進すると、毛筆３１を束ねる弾性筒２３の先端２３ａと毛筆３１との間にスリーブ２４の先端部２４ａが介在するため、前進する毛筆３１をスリーブ２４により保護でき、毛筆３１が弾性筒２３の先端２３ａにより捲らればらけてしまうことを防止できる。
【００７９】
また、一の塗布の態様では、毛筆３１先端が容器から外方に突出するため、この毛筆３１の先端を使用した細い塗布ができ、他の塗布の態様では、毛筆３１がさらに外方に突出するため毛筆３１先端以外の部分を主に使用した太い塗布ができる。
【００８０】
また、本実施形態においては、段差部２５ｄを利用して、化粧料容器を構成する構成部品に容易に係止することができる。具体的には、巻線径が小径の第２のコイルバネ２５ｂの段差部２５ｄ側の端部と巻線径が大径の第１のコイルバネ２５ａの凹部２５ｅとの間が、スリーブ２４の鍔部２４ｃに軸線方向に係止するための係止部２５ｃとされるため、この係止部２５ｃにより、コイルバネ２５を、スリーブ２４に容易に係止することができる。
【００８１】
さらにまた、本発明のコイルバネは、第１実施形態では衝撃を吸収するためのものとして機能し、第２実施形態では部品の順序立てた動きを実現するためのものとして機能し、適用対象により機能が異なるため、この点からも多種、多様な機能を発揮できる。
【００８２】
以上、本発明をその実施形態に基づき具体的に説明したが、本発明は上記実施形態に限定されるものではなく、例えば、雄螺子、雌螺子は、間欠的に配される突起群又は螺旋状且つ間欠的に配される突起群のように螺子山と同様な働きをするものであれば良く、また、螺合突起は、連続する螺子山であっても良い。
【００８３】
また、コイルバネ５，２５は、第１、第２実施形態と同様に機能すれば、大径、小径は逆であっても良い。
【符号の説明】
【００８４】
１…先筒（容器前部）、１ｇ…先筒の開口、２…本体筒（容器後部）、３…棒状化粧料支持体（移動体）、３ｅ…雄螺子、４…雌螺子部材（化粧料容器の構成部品）、４ｃ…雌螺子部材の凸部（雌螺子部材の係止部）、４ｅ…螺合突起（雌螺子）、５，２５…化粧料用コイルバネ、５ａ，２５ａ…第１のコイルバネ（第１のバネ部；巻線径が大径のバネ部）、５ｂ，２５ｂ…第２のコイルバネ（第２のバネ部；巻線径が小径のバネ部）、５ｃ，２５ｃ…コイルバネの係止部、５ｄ，２５ｄ…コイルバネの段差部、５ｅ，２５ｅ…コイルバネの凹部、２１…筒体、２２…軸体、２３…弾性筒、２３ａ…弾性筒の先端、２４…スリーブ（化粧料容器の構成部品）、２４ａ…先端部、２４ｃ…鍔部（係止部）、３１…毛筆（化粧料容器の構成部品）、１００，２００…化粧料容器。
【図１】
2015019775.tif 000003
【図２】
2015019775.tif 000004
【図３】
2015019775.tif 000005
【図４】
2015019775.tif 000006
【図５】
2015019775.tif 000007
【図６】
2015019775.tif 000008
【図７】
2015019775.tif 000009
【図８】
2015019775.tif 000010
【図９】
2015019775.tif 000011